(57)【特許請求の範囲】
【請求項１】
燻蒸の可否を判定する燻蒸判定装置において、
展示施設内の遮蔽された空間である遮蔽ブロックが定義された遮蔽ブロックテーブルを入力する遮蔽ブロックテーブル入力手段と、
燻蒸ガスの種別である燻蒸種別が定義された燻蒸種別テーブルを入力する燻蒸種別テーブル入力手段と、
燻蒸すべき展示コーナと実施予定の燻蒸種別とを含む燻蒸条件を示す燻蒸条件情報を入力する燻蒸条件情報入力手段と、
前記遮蔽ブロックテーブル入力手段によって入力された前記遮蔽ブロックテーブル、前記燻蒸種別テーブル入力手段によって入力された前記燻蒸種別テーブル、及び前記燻蒸条件情報入力手段によって入力された前記燻蒸条件情報を用い、前記燻蒸すべき展示コーナを包含する遮蔽ブロック内の各展示コーナを示す燻蒸対象エリアと、前記実施予定の燻蒸種別とを含む燻蒸スケジュールを示す燻蒸スケジュールテーブルを作成する燻蒸スケジュールテーブル作成手段と、
展示資料が展示されている展示コーナを管理する資料管理情報に、各展示資料に対する燻蒸種別毎の燻蒸の可否を示す燻蒸可否情報を付加した燻蒸可否管理情報を作成する燻蒸可否管理情報作成手段と、
前記燻蒸スケジュールテーブル及び前記燻蒸可否管理情報を用い、前記燻蒸対象エリアに展示された展示資料に対する実施予定の燻蒸種別の燻蒸の可否を判定し、各展示資料に対する判定結果に基づいて前記燻蒸対象エリアに対する燻蒸の可否を判定する燻蒸可否判定手段と、
前記燻蒸可否判定手段による判定結果を出力する判定結果出力手段と、
を有することを特徴とする燻蒸判定装置。
【請求項２】
前記燻蒸スケジュールテーブル作成手段は、前記燻蒸種別テーブル、前記遮蔽ブロックテーブル及び前記燻蒸条件情報から、前記燻蒸ガスの排出を開始する日時である燻蒸ガス排出開始日時、及び前記燻蒸ガスの排出が完了する日時である燻蒸ガス排出完了日時を算出し、
燻蒸対象である燻蒸対象エリア、実施予定の燻蒸種別、燻蒸を開始する日時である燻蒸開始日時、前記燻蒸ガス排出開始日時及び燻蒸ガス排出完了日時を有する前記燻蒸スケジュールテーブルの作成を行うことを特徴とする請求項１記載の燻蒸判定装置。
【請求項３】
前記燻蒸可否判定手段は、前記燻蒸スケジュールテーブルに示される前記燻蒸対象エリアのいずれかと、前記燻蒸可否管理情報に示される展示資料の展示場所のいずれかとが相互に一致するか否か判定し、
いずれも一致しない場合には、前記燻蒸対象エリアに対する燻蒸が可能であると判定し、
一致する場合には、前記燻蒸スケジュールテーブルに示される燻蒸種別と、前記燻蒸可否管理情報に示される燻蒸可否情報とを比較することにより、前記燻蒸対象エリアに展示された展示資料に対する実施予定の燻蒸種別の燻蒸の可否を判定し、各展示資料に対する判定結果に基づいて前記燻蒸対象エリアに対する燻蒸の可否を判定することを特徴とする請求項１記載の燻蒸判定装置。
【請求項４】
燻蒸の可否の判定をコンピュータに実行させるための燻蒸判定プログラムを記録したコンピュータ読み取り可能な記録媒体において、
コンピュータに、
展示施設内の遮蔽された空間である遮蔽ブロックが定義された遮蔽ブロックテーブルと、
燻蒸ガスの種別である燻蒸種別が定義された燻蒸種別テーブルと、及び、
燻蒸すべき展示コーナと実施予定の燻蒸種別とを含む燻蒸条件を示す燻蒸条件情報とが入力されると、
入力された前記遮蔽ブロックテーブル、前記燻蒸種別テーブル、及び前記燻蒸条件情報を用い、前記燻蒸すべき展示コーナを包含する遮蔽ブロック内の各展示コーナを示す燻蒸対象エリアと、前記実施予定の燻蒸種別とを含む燻蒸スケジュールを示す燻蒸スケジュールテーブルを作成するステップと、
展示資料が展示されている展示コーナを管理する資料管理情報に、各展示資料に対する燻蒸種別毎の燻蒸の可否を示す燻蒸可否情報を付加した燻蒸可否管理情報を作成するステップと、
前記燻蒸スケジュールテーブル及び前記燻蒸可否管理情報を用い、前記燻蒸対象エリアに展示された展示資料に対する実施予定の燻蒸種別の燻蒸の可否を判定し、各展示資料に対する判定結果に基づいて前記燻蒸対象エリアに対する燻蒸の可否を判定するステップと、
判定結果を出力するステップと、
を実行させるための燻蒸判定プログラムを記録したコンピュータ読み取り可能な記録媒体。
【発明の詳細な説明】
【０００１】
【発明の属する技術分野】
本発明は、燻蒸の可否を判定する燻蒸判定装置及びその機能をコンピュータに行わせるプログラムを格納したコンピュータ読み取り可能な記録媒体に関し、特に、燻蒸ガスを使用した燻蒸作業を行う施設において燻蒸の可否を判定する燻蒸判定装置及びその機能をコンピュータに行わせるプログラムを格納したコンピュータ読み取り可能な記録媒体に関する。
【０００２】
【従来の技術】
博物館のように様々な資料が展示される施設では、展示されている資料の害虫駆除等を目的に、燻蒸ガスを用いた消毒作業（以下燻蒸）が定期的に行われる。
【０００３】
博物館等に展示される資料には、骨董品、古代遺産、書物、絵画、剥製等の非生体資料、及び動物、植物等の生体資料が存在し、その種類も多種多様である。また、燻蒸ガスの種類も多数存在し、その効果、影響等もまた多種多様である。博物館等に展示されている資料の種類、名称、展示場所等の情報は、博物館が有するデータベース等によって管理されていることが多く、このような博物館等の燻蒸を行う係員は、このデータベース等を参照することによって燻蒸可否の判定を行い、燻蒸作業を行っていた。
【０００４】
【発明が解決しようとする課題】
しかし、従来の燻蒸可否の判定作業は、燻蒸を行う係員が手作業によって行うこととしていたため、作業時の利便性に欠け、判定作業が大変困難なものとなっていたという問題点がある。このような問題は、展示資料の種類の増加、及び燻蒸できない生体資料の増加が著しい近年の博物館では、特に重要視される問題となっている。
【０００５】
本発明はこのような点に鑑みてなされたものであり、展示資料の燻蒸の可否判定を容易に行うことが可能な燻蒸判定装置を提供することを目的とする。
【０００６】
また、本発明の他の目的は、展示資料の燻蒸の可否判定を容易に行うことが可能な機能をコンピュータに行わせるプログラムを格納したコンピュータ読み取り可能な記録媒体を提供することである。
【０００７】
【課題を解決するための手段】
本発明では上記課題を解決するために、図１に示す、燻蒸の可否を判定する燻蒸判定装置１において、展示施設内の遮蔽された空間である遮蔽ブロックが定義された遮蔽ブロックテーブル１２を入力する遮蔽ブロックテーブル入力手段１ａと、燻蒸ガスの種別である燻蒸種別が定義された燻蒸種別テーブル１３を入力する燻蒸種別テーブル入力手段１ｂと、燻蒸すべき展示コーナと実施予定の燻蒸種別とを含む燻蒸条件を示す燻蒸条件情報１１を入力する燻蒸条件情報入力手段１ｃと、前記遮蔽ブロックテーブル入力手段１ａによって入力された前記遮蔽ブロックテーブル１２、前記燻蒸種別テーブル入力手段１ｂによって入力された前記燻蒸種別テーブル１３、及び前記燻蒸条件情報入力手段１ｃによって入力された前記燻蒸条件情報１１を用い、前記燻蒸すべき展示コーナを包含する遮蔽ブロック内の各展示コーナを示す燻蒸対象エリアと、前記実施予定の燻蒸種別とを含む燻蒸スケジュールを示す燻蒸スケジュールテーブルを作成する燻蒸スケジュールテーブル作成手段１ｄと、展示資料が展示されている展示コーナを管理する資料管理情報１４に、各展示資料に対する燻蒸種別毎の燻蒸の可否を示す燻蒸可否情報１５を付加した燻蒸可否管理情報を作成する燻蒸可否管理情報作成手段１ｉと、前記燻蒸スケジュールテーブル及び前記燻蒸可否管理情報を用い、前記燻蒸対象エリアに展示された展示資料に対する実施予定の燻蒸種別の燻蒸の可否を判定し、各展示資料に対する判定結果に基づいて前記燻蒸対象エリアに対する燻蒸の可否を判定する燻蒸可否判定手段１ｊと、前記燻蒸可否判定手段１ｊによる判定結果を出力する判定結果出力手段１ｋとを有することを特徴とする燻蒸判定装置１が提供される。
【０００８】
ここで、遮蔽ブロックテーブル入力手段１ａには、遮蔽された空間である遮蔽ブロックが定義された遮蔽ブロックテーブル１２が入力され、燻蒸種別テーブル入力手段１ｂには、燻蒸ガスの種別である燻蒸種別が定義された燻蒸種別テーブル１３が入力され、燻蒸条件情報入力手段１ｃには、燻蒸条件を示す燻蒸条件情報１１が入力され、燻蒸スケジュールテーブル作成手段１ｄは、遮蔽ブロックテーブル入力手段１ａによって入力された遮蔽ブロックテーブル１２、燻蒸種別テーブル入力手段１ｂによって入力された燻蒸種別テーブル１３、及び燻蒸条件情報入力手段１ｃによって入力された燻蒸条件情報１１を用い、燻蒸スケジュールを示す燻蒸スケジュールテーブルを作成し、燻蒸可否管理情報作成手段１ｉは、展示資料を管理する資料管理情報１４に、燻蒸の可否を示す燻蒸可否情報１５を付加した燻蒸可否管理情報を作成し、燻蒸可否判定手段１ｊは、燻蒸スケジュールテーブル及び燻蒸可否管理情報を用い、燻蒸の可否を判定し、判定結果出力手段１ｋは、燻蒸可否判定手段１ｊによる判定結果を出力する。
【００１０】
また、燻蒸の可否の判定をコンピュータに実行させるための燻蒸判定プログラムを記録したコンピュータ読み取り可能な記録媒体において、コンピュータに、展示施設内の遮蔽された空間である遮蔽ブロックが定義された遮蔽ブロックテーブルと、燻蒸ガスの種別である燻蒸種別が定義された燻蒸種別テーブルと、及び、燻蒸すべき展示コーナと実施予定の燻蒸種別とを含む燻蒸条件を示す燻蒸条件情報とが入力されると、入力された前記遮蔽ブロックテーブル、前記燻蒸種別テーブル、及び前記燻蒸条件情報を用い、前記燻蒸すべき展示コーナを包含する遮蔽ブロック内の各展示コーナを示す燻蒸対象エリアと、前記実施予定の燻蒸種別とを含む燻蒸スケジュールを示す燻蒸スケジュールテーブルを作成するステップと、展示資料が展示されている展示コーナを管理する資料管理情報に、各展示資料に対する燻蒸種別毎の燻蒸の可否を示す燻蒸可否情報を付加した燻蒸可否管理情報を作成するステップと、前記燻蒸スケジュールテーブル及び前記燻蒸可否管理情報を用い、前記燻蒸対象エリアに展示された展示資料に対する実施予定の燻蒸種別の燻蒸の可否を判定し、各展示資料に対する判定結果に基づいて前記燻蒸対象エリアに対する燻蒸の可否を判定するステップと、判定結果を出力するステップと、を実行させるための燻蒸判定プログラムを記録したコンピュータ読み取り可能な記録媒体が提供される。
【００１１】
【発明の実施の形態】
以下、本発明の実施の形態を図面を参照して説明する。
図１は、本形態における燻蒸判定装置１の構成を示した構成図である。
【００１２】
燻蒸判定装置１は、遮蔽された空間である遮蔽ブロックが定義された遮蔽ブロックテーブル１２を入力する遮蔽ブロックテーブル入力手段１ａ、燻蒸ガスの種別である燻蒸種別が定義された燻蒸種別テーブル１３を入力する燻蒸種別テーブル入力手段１ｂ、燻蒸条件を示す燻蒸条件情報１１を入力する燻蒸条件情報入力手段１ｃ、遮蔽ブロックテーブル入力手段１ａによって入力された遮蔽ブロックテーブル１２、燻蒸種別テーブル入力手段１ｂによって入力された燻蒸種別テーブル１３、及び燻蒸条件情報入力手段１ｃによって入力された燻蒸条件情報１１を用い、燻蒸スケジュールを示す燻蒸スケジュールテーブルを作成する燻蒸スケジュールテーブル作成手段１ｄ、展示資料を管理する資料管理情報１４を格納する資料管理情報格納手段１ｆ、資料管理情報１４を抽出する資料管理情報抽出手段１ｇ、燻蒸可否情報１５を入力する燻蒸可否情報入力手段１ｈ、資料管理情報１４に、燻蒸の可否を示す燻蒸可否情報１５を付加した燻蒸可否管理情報を作成する燻蒸可否管理情報作成手段１ｉ、燻蒸スケジュールテーブル及び燻蒸可否管理情報を用い、燻蒸の可否を判定する燻蒸可否判定手段１ｊ、及び燻蒸可否判定手段１ｊによる判定結果を出力する判定結果出力手段１ｋによって構成されている。
【００１３】
ここで、遮蔽ブロックテーブル入力手段１ａ、燻蒸種別テーブル入力手段１ｂ、燻蒸条件情報入力手段１ｃは、各種情報を入力するキーボード等であり、これらから入力された各種情報は、燻蒸スケジュールテーブル作成手段１ｄにそれぞれ提供される。また、同様に、資料管理情報入力手段１ｅ及び燻蒸可否情報入力手段１ｈも、各種情報を入力するキーボード等であり、資料管理情報入力手段１ｅ及び燻蒸可否情報入力手段１ｈから入力された情報は、資料管理情報格納手段１ｆ、燻蒸可否管理情報作成手段１ｉにそれぞれ提供される。資料管理情報格納手段１ｆは、ハードディスク等の情報格納装置であり、資料管理情報入力手段１ｅ及び燻蒸可否管理情報作成手段１ｉから提供された情報を格納する。燻蒸スケジュールテーブル作成手段１ｄ、資料管理情報抽出手段１ｇ、燻蒸可否管理情報作成手段１ｉ及び燻蒸可否判定手段１ｊは、ＣＰＵ（Central Processing Unit）等であり、所定のプログラムに従い、各動作を実行する。判定結果出力手段１ｋは、ディスプレイ等表示装置であり、燻蒸可否の判定結果等の表示を行う。また、ここでの展示資料には、骨董品、古代遺産、書物、絵画、剥製等の非生体資料、及び動物、植物等の生体資料の双方を含む。
【００１４】
図２は、燻蒸を行う施設の構成例を示した図である。この例の燻蒸対象施設は、３つの遮蔽ブロック２１〜２３で区分され、遮蔽ブロック２１には展示コーナ２１ａ、２１ｂが、遮蔽ブロック２２には展示コーナ２２ａが、遮蔽ブロック２３には展示コーナ２３ａが、それぞれ配置される。
【００１５】
図３の（ａ）は、燻蒸条件情報１１の構成を示した図である。
燻蒸条件情報１１は、燻蒸対象である燻蒸対象エリアを示す燻蒸対象エリア情報、燻蒸対象エリアを燻蒸する燻蒸ガスの種別を示す燻蒸種別情報、及び燻蒸を開始する日時を示す燻蒸開始日時情報を有しており、図３の（ａ）では、“展示コーナ２１ａ”が燻蒸対象エリア情報に、“燻蒸Ａ”が燻蒸種別情報に、２０００年４月１１日１２時を示す“２０００／４／１１  １２：００”が燻蒸開始日時情報に、それぞれ相当する。
【００１６】
図３の（ｂ）は、遮蔽ブロックテーブル１２を示した図である。
遮蔽ブロックテーブル１２は、展示資料が展示される展示コーナ、展示コーナが属する遮蔽ブロック、及び展示コーナが属する遮蔽ブロックに近接する遮蔽ブロックである近接遮蔽ブロックを有するテーブルである。図３の（ｂ）では、“展示コーナ２１ａ、２１ｂ、２２ａ、２３ａ”が展示コーナに、“遮蔽ブロック２１〜２３”が遮蔽ブロック及び近接遮蔽ブロックに、それぞれ相当する。ここで、展示コーナ２１ａ、２１ｂは、遮蔽ブロック２１に属し、その近接遮蔽ブロックは、遮蔽ブロック２２であり、展示コーナ２２ａは、遮蔽ブロック２２に属し、その近接遮蔽ブロックは遮蔽ブロック２１であり、展示コーナ２３ａは、遮蔽ブロック２３に属し、その近接遮蔽ブロックは遮蔽ブロック２２である。
【００１７】
図４の（ａ）は、燻蒸種別テーブル１３の構成を示した図である。
燻蒸種別テーブル１３は、燻蒸ガスの種別である燻蒸種別、燻蒸時間及び標準排出時間を有するテーブルである。図４の（ａ）では、“燻蒸Ａ〜Ｃ”が燻蒸種別に、“４８時間、７２時間、２４時間”が燻蒸時間に、“２４時間”が標準排出時間にそれぞれ相当し、燻蒸Ａの燻蒸時間は４８時間、燻蒸Ｂの燻蒸時間は７２時間、燻蒸Ｃの燻蒸時間は２４時間であり、それらの標準排出時間はすべて２４時間である。
【００１８】
図４の（ｂ）は、燻蒸種別の具体例である燻蒸種別例１３ａを示した図である。
図４の（ｂ）では、燻蒸Ａの例として、動物剥製及び植物標本に適した臭化メチルが、燻蒸Ｂの例として、植物標本に適したリン化アルミニウムが、燻蒸Ｃの例として、動物剥製に適したリン化水素が、それぞれ挙げられている。
【００１９】
図５は、燻蒸スケジュールテーブル３１の構成を示した図である。
燻蒸スケジュールテーブル３１は、燻蒸対象である燻蒸対象エリア、前記燻蒸ガスの種別である燻蒸種別、燻蒸を開始する日時である燻蒸開始日時、前記燻蒸ガス排出開始日時及び燻蒸ガス排出完了日時を有するテーブルである。図５では、“展示コーナ２１ａ、２１ｂ、２２ａ”が燻蒸対象エリアに、“燻蒸Ａ”が燻蒸種別に、“２０００／４／１１  １２：００”が燻蒸開始日時に、“２０００／４／１３  １２：００”が燻蒸ガス排出開始日時に、“２０００／４／１４  １２：００、２０００／４／１４  ０：００”が燻蒸ガス排出完了日時に、それぞれ相当し、展示コーナ２１ａ、２１ｂ、２２ａの燻蒸種別は燻蒸Ａ、燻蒸開始日時は２０００年４月１１日１２時、燻蒸ガス排出開始日時は２０００年４月１３日１２時である。また、展示コーナ２１ａ、２１ｂの燻蒸ガス排出完了日時は２０００年４月１４日１２時であり、展示コーナ２２ａの燻蒸ガス排出完了日時は２０００年４月１４日０時である。
【００２０】
図６の（ａ）は、資料管理情報１４の構成を示した図である。
資料管理情報１４は、展示資料の資料ＩＤ、資料名、資料形態、収蔵場所、展示場所を有しており、図６の（ａ）では、“Ａ００８００５、Ｈ０００００１、Ｇ００３２１０”が資料ＩＤに、“ライオン、カメ、タツノオトシゴ”が資料名に、“剥製、生体”が資料形態に、“遮蔽ブロック２１、２２”が収蔵場所に、展示コーナ２１ａ、２１ｂ、２２ａが展示場所に、それぞれ相当する。また、ここで、資料ＩＤ“Ａ００８００５”は、資料名“ライオン”、資料形態“剥製”、収納場所“遮蔽ブロック２１”、展示場所“展示コーナ２１ａ”に、資料ＩＤ“Ｈ０００００１”は、資料名“カメ”、資料形態“生体”、収蔵場所“遮蔽ブロック２１”、展示場所“展示コーナ２１ｂ”に、資料ＩＤ“Ｇ００３２１０”は、資料名“タツノオトシゴ”、資料形態“生体”、収蔵場所“遮蔽ブロック２２”、展示場所“展示コーナ２２ａ”に、それぞれ対応する。
【００２１】
図６の（ｂ）は、燻蒸可否情報１５の構成を示した図である。
図６の（ｂ）では、“燻蒸Ａ、燻蒸Ｃ、燻蒸不可”が、この燻蒸可否情報に相当する。ここで、“燻蒸Ａ、燻蒸Ｃ”とは、燻蒸Ａ及び燻蒸Ｃに対してのみ燻蒸が可能である旨を示しており、“燻蒸不可”とは、燻蒸が不可能である旨を示している。
【００２２】
図７は、燻蒸可否管理情報３２の構成を示した図である。
燻蒸可否管理情報３２は、展示資料の資料ＩＤ、資料名、資料形態、収蔵場所、展示場所、燻蒸可否情報を有している。ここで、資料ＩＤ“Ａ００８００５”、資料名“ライオン”の展示資料は、燻蒸Ａ、Ｃに対してのみ燻蒸可能であり、資料ＩＤ“Ｈ０００００１、Ｇ００３２１０”、資料名“カメ、タツノオトシゴ”の展示資料は、いずれも燻蒸不可能である。
【００２３】
次に、図１〜図７を用い、燻蒸判定装置１の動作について説明する。
初めに、燻蒸スケジュールテーブル３１の作成手順について説明する。
まず、利用者は、遮蔽ブロックテーブル入力手段１ａを用いて図３の（ｂ）に示した遮蔽ブロックテーブル１２の入力を、燻蒸種別テーブル入力手段１ｂを用いて図４の（ａ）に示した燻蒸種別テーブル１３の入力を、燻蒸条件情報入力手段１ｃを用いて図３の（ａ）に示した燻蒸条件情報１１の入力を行う。このように入力された燻蒸条件情報１１、遮蔽ブロックテーブル１２及び燻蒸種別テーブル１３は、図示していないメモリに一旦格納され、その後、燻蒸スケジュールテーブル作成手段１ｄに供給される。
【００２４】
燻蒸条件情報１１、遮蔽ブロックテーブル１２及び燻蒸種別テーブル１３が供給された燻蒸スケジュールテーブル作成手段１ｄは、以下の手順に従って、燻蒸スケジュールテーブル３１の作成を行う。
【００２５】
まず、燻蒸条件情報１１及び遮蔽ブロックテーブル１２を参照し、燻蒸条件情報１１の燻蒸対象エリア情報に示される燻蒸対象エリアが属する遮蔽ブロックに他の展示コーナが存在するか否かを判断する。基本的に、燻蒸条件情報１１の燻蒸対象エリアは、すべて燻蒸スケジュールテーブル３１における燻蒸対象エリアとするが、ここで、上述した他の展示コーナが存在した場合、そのような他の展示コーナすべてを燻蒸スケジュールテーブル３１における燻蒸対象エリアに追加する。図３の（ａ）に示した燻蒸条件情報１１の場合、燻蒸対象エリアである展示コーナ２１ａは、図３の（ｂ）の遮蔽ブロックテーブル１２に示すように、遮蔽ブロック２１に属し、遮蔽ブロック２１には、他の展示コーナである展示コーナ２１ｂが存在する。これより、燻蒸スケジュールテーブル３１の燻蒸対象エリアとして、燻蒸条件情報１１の燻蒸対象エリアに示される展示コーナ２１ａとともに、この展示コーナ２１ｂを追加し、燻蒸スケジュールテーブル３１の燻蒸対象エリアを、展示コーナ２１ａ、２１ｂとする。
【００２６】
次に、燻蒸条件情報１１の燻蒸種別及び燻蒸開始日時を燻蒸スケジュールテーブル３１における燻蒸種別及び燻蒸開始日時とする。ここで、上述のように追加された展示コーナについては、その元となった展示コーナ、すなわち同一の遮蔽ブロックに属する展示コーナに対応する燻蒸種別及び燻蒸開始日時を、追加された展示コーナの燻蒸種別及び燻蒸開始日時とする。
【００２７】
次に、燻蒸種別テーブル１３を参照し、燻蒸スケジュールテーブル３１における燻蒸ガス排出開始日時及び燻蒸ガス排出完了日時の算出を行う。具体的には、燻蒸スケジュールテーブル３１の燻蒸種別に対応する燻蒸時間及び標準排出時間を燻蒸種別テーブル１３から抽出し、この抽出した燻蒸時間を燻蒸開始日時に加算することにより燻蒸ガス排出開始日時を算出し、この燻蒸ガス排出開始日時に抽出した標準排出時間を加算することにより燻蒸ガス排出完了日時を算出する。図４の（ａ）及び図５の場合、燻蒸スケジュールテーブル３１の燻蒸種別は、いずれも“燻蒸Ａ”であり、これに対応する燻蒸種別テーブル１３における燻蒸時間は“４８時間”、標準排出時間は“２４時間”である。また、図５の燻蒸スケジュールテーブル３１では、燻蒸開始日時は、いずれも"２０００／４／１１  １２：００”であるため、燻蒸ガス排出開始日時は、"２０００／４／１１  １２：００”に“４８時間”を加算した“２０００／４／１３  １２：００”となり、燻蒸ガス排出完了日時は、燻蒸ガス排出開始日時である“２０００／４／１３  １２：００”に“２４時間”を加算した“２０００／４／１４  １２：００”となる。
【００２８】
次に、遮蔽ブロックテーブル１２を参照し、燻蒸対象エリアが属する遮蔽ブロックに近接遮蔽ブロックが存在するか否か判断する。近接遮蔽ブロックとは、所定の遮蔽ブロックに近接する遮蔽ブロックのことであり、ここで近接遮蔽ブロックの存在の有無を判断するのは、燻蒸対象エリアを有する遮蔽ブロックから近接遮蔽ブロックへの燻蒸ガスの漏れを考慮するためである。つまり、各遮蔽ブロックは、遮蔽板、扉等によって遮蔽されるわけであるが、一般に、これらの気密性はさほど高いものではなく、燻蒸対象となる遮蔽ブロックの近接遮蔽ブロックには、ある程度の燻蒸ガスが漏洩する。その結果、例え、この近接遮蔽ブロックが燻蒸対象となっていない場合であっても、この近接遮蔽ブロックは、漏洩した燻蒸ガスによって燻蒸されることになり、そこに展示されている展示資料にも、この燻蒸による影響が生じる。本形態では、そのような影響を考慮し、近接遮蔽ブロックに属するすべての展示コーナを燻蒸スケジュールテーブル３１における燻蒸対象エリアに追加する。図３の場合、燻蒸対象エリアである展示コーナ２１ａが属する遮蔽ブロックは遮蔽ブロック２１であり、その近接遮蔽ブロックは遮蔽ブロック２２である。また、この近接遮蔽ブロックである遮蔽ブロック２２には、展示コーナ２２ａが属している。これより、燻蒸スケジュールテーブル３１における燻蒸対象エリアには、新たに展示コーナ２２ａが追加されることとなる。
【００２９】
次に、燻蒸条件情報１１の燻蒸種別及び燻蒸開始日時を、上述のように追加した燻蒸対象エリアの燻蒸スケジュールテーブル３１における燻蒸種別及び燻蒸開始日時とする。なお、ここで設定される燻蒸種別及び燻蒸開始日時は、上述のように追加された燻蒸対象エリアの根拠となった遮蔽ブロック、すなわち追加された燻蒸対象エリアが属する近接遮蔽ブロックに近接する遮蔽ブロックが有する燻蒸対象エリアに対応する燻蒸条件情報１１の燻蒸種別及び燻蒸開始日時である。図３及び図５の場合、追加された燻蒸対象エリア２２ａの根拠となった遮蔽ブロックは、遮蔽ブロック２１であり、遮蔽ブロック２１が有する燻蒸対象エリアは、展示コーナ２１ａである。また、図３の（ａ）に示した燻蒸条件情報１１において、展示コーナ２１ａに対応する燻蒸種別及び燻蒸開始日時は、それぞれ“燻蒸Ａ”及び“２０００／４／１１  １２：００”である。これより、上述のように追加した燻蒸対象エリアの燻蒸スケジュールテーブル３１における燻蒸種別及び燻蒸開始日時には、“燻蒸Ａ”及び“２０００／４／１１  １２：００”がそれぞれ設定される。
【００３０】
次に、遮蔽種別テーブル１３を参照し、追加した燻蒸対象エリアに対応する燻蒸ガス排出開始日時及び燻蒸ガス排出完了日時の算出を行う。ここでの算出は、燻蒸条件情報１１の燻蒸対象エリアに対応する燻蒸ガス排出開始日時等の算出の場合とほぼ同様に行われ、燻蒸ガス排出完了日時算出の際、所定の係数を掛け合わせる点のみが、燻蒸条件情報１１の燻蒸対象エリアに対応する燻蒸ガス排出開始日時等の算出の場合と異なる。このような係数を掛け合わせる理由は、近接遮蔽ブロックにおける燻蒸ガスの濃度は、実際に燻蒸を行っている遮蔽ブロックに比べて低いため、燻蒸ガスの排出に要する時間も短くて済むからである。図５の燻蒸スケジュールテーブル３１では、この係数を０．５として計算しており、これにより、展示コーナ２２ａの燻蒸ガス排出完了日時は、燻蒸ガス排出開始日時“２０００／４／１３  １２：００”に、燻蒸種別テーブル１３に示される“燻蒸Ａ”の標準排出時間“２４時間”に０．５を乗じた“１２時間”を加算した“２０００／４／１４  ０：００”となる。
【００３１】
次に、燻蒸可否管理情報３２の作成手順について説明する。
燻蒸可否管理情報３２作成の前提として、利用者は、資料管理情報入力手段１ｅを用い、展示資料を管理する資料管理情報１４の入力を行う。このように入力された資料管理情報１４は、資料管理情報格納手段１ｆに格納され、展示資料の管理に用いられる。
【００３２】
燻蒸可否管理情報３２の作成を行う際、まず、資料管理情報抽出手段１ｇは、資料管理情報格納手段１ｆに格納された資料管理情報１４を抽出し、抽出した資料管理情報１４を燻蒸可否管理情報作成手段１ｉに送る。
【００３３】
資料管理情報１４が抽出されると、次に、抽出した資料管理情報１４に付加される燻蒸可否情報１５の設定を行う。燻蒸可否情報１５の設定は、自動的に燻蒸の可否を判断して設定する自動設定、及び利用者が燻蒸の可否を判断して設定する入力設定がある。自動設定によって燻蒸可否情報１５を設定する場合、まず、燻蒸可否管理情報作成手段１ｉは、資料管理情報１４に示される資料形態を参照し、その展示資料が生体か否かを判断する。ここで、展示資料が生体であった場合、その展示資料に対応する燻蒸可否情報１５は燻蒸不可とされ、生体でなかった場合、燻蒸可能とされる。一方、入力設定によって燻蒸可否情報１５を設定する場合、利用者は、抽出された資料管理情報１４を参照し、資料管理情報１４に示される展示資料の燻蒸可否を判断しながら、燻蒸可否情報入力手段１ｈから燻蒸可否情報１５の入力を行う。ここで入力される燻蒸可否情報１５には、燻蒸の可否のみではなく、特定の燻蒸ガスに対してのみ燻蒸可能である等の条件を設定することとしてもよい。図６の（ｂ）の燻蒸可否情報１５では、燻蒸Ａ、Ｃに対してのみ燻蒸が可能である旨を示す“燻蒸Ａ、燻蒸Ｃ”、及び燻蒸が不可能である旨を示す“燻蒸不可”が入力されている。以上のように設定された燻蒸可否情報１５は、資料管理情報１４に付加され、図７に示すような燻蒸可否管理情報３２が作成される。作成された燻蒸可否管理情報３２は、資料管理情報格納手段１ｆに格納され、燻蒸の可否判定等に利用される。
【００３４】
次に、燻蒸スケジュールテーブル作成手段１ｄによって作成された燻蒸スケジュールテーブル、及び燻蒸可否管理情報作成手段１ｉによって作成された燻蒸可否管理情報３２を用い、燻蒸可否判定手段１ｊが行う燻蒸可否判定動作について説明する。
【００３５】
まず、燻蒸可否管理情報３２から判定を行う展示資料を選定し、選定した展示資料の展示場所を抽出する。次に、このように抽出した展示場所が、燻蒸スケジュールテーブル３１のいずれかの燻蒸対象エリアと一致するか否か判断する。
【００３６】
ここで、抽出した展示場所がいずれの燻蒸対象エリアにも一致しなかった場合、その展示場所は燻蒸対象となっていないこととなるため、燻蒸可否判定手段１ｊは、その展示資料については燻蒸の問題はない旨の判定を行う。
【００３７】
一方、抽出した展示場所がいずれかの燻蒸対象エリアと一致した場合、まず、燻蒸可否判定手段１ｊは、選定した展示資料に対応する燻蒸可否管理情報３２における燻蒸可否情報が“燻蒸不可”となっているか否か判断する。ここで、この燻蒸可否情報が“燻蒸不可”となっていた場合、燻蒸可否判定手段１ｊは、選定した展示資料について、燻蒸が不可能である旨の判定を行い、判定結果出力手段１ｋに対し、判定結果である燻蒸が不可である旨、及びその対応法である展示資料を移動させる旨の指示を与え、その指示を受けた判定結果出力手段１ｋは、それらの表示を行う。
【００３８】
図８及び図９は、このように判定結果出力手段１ｋが、燻蒸が不可である旨及び展示資料を移動させる旨を表示した判定結果出力画面４１、４２を示した図である。
【００３９】
図８の判定結果出力画面４１では、展示コーナ２１ｂに燻蒸不可対象資料（カメ生体）が存在している旨が表示され、その対処方法として、燻蒸対象エリアから展示コーナ２１ｂを外す旨、及びその資料を移動させる旨が表示されている。また、判定結果出力画面４１には、燻蒸不可対象となっている対象資料を示す対象資料タグ４１ａ、及びその配置場所を示す配置場所タグ４１ｂが表示され、これにより、燻蒸不可対象とその配置場所を利用者に明示することが可能となる。図９の判定結果出力画面４２では、展示コーナ２２ａに燻蒸不可対象資料（タツノオトシゴ）が存在している旨が表示され、その対処方法として、燻蒸対象エリアから展示コーナ２２ａを外す旨、及びそのその資料を移動させる旨が表示されている。また、この場合も図８の場合と同様に、対象資料タグ４２ａ及び配置場所タグ４２ｂが表示される。
【００４０】
また、判定対象として抽出した展示資料の展示場所が、いずれかの燻蒸対象エリアと一致し、選定した展示資料に対応する燻蒸可否管理情報３２における燻蒸可否情報が“燻蒸不可”となっていない場合、燻蒸可否判定手段１ｊは、抽出した展示場所と一致した燻蒸対象エリアに対応する燻蒸種別、すなわち、その燻蒸対象エリアを燻蒸する燻蒸種別が、抽出した展示資料に対応する燻蒸可否管理情報３２の燻蒸可否情報と一致するか否か判断する。ここでの一致は、燻蒸可能を意味することとなり、例えば、燻蒸対象エリアを燻蒸する燻蒸種別が“燻蒸Ａ”であり、その燻蒸対象エリアに展示される資料の燻蒸可否情報が、燻蒸Ａ及び燻蒸Ｃに対してのみ燻蒸が可能である旨を示す“燻蒸Ａ、燻蒸Ｃ”であった場合、この一致が判断され、燻蒸可能の判定が行われる。ここで、この一致が認められず、燻蒸可能の判定が行われなかった場合、燻蒸可否判定手段１ｊは、判定結果出力手段１ｋに対し、判定結果である燻蒸が不可である旨、及びその対応法である燻蒸ガスを変更する旨の指示を与え、その指示を受けた判定結果出力手段１ｋは、それらの表示を行う。
【００４１】
図１０は、このように判定結果出力手段１ｋが、燻蒸が不可である旨及び燻蒸ガスを変更する旨を表示した判定結果出力画面４３を示した図である。図１０の判定結果出力画面４３では、展示コーナ２３ａに燻蒸不可対象資料（ライオン剥製）が存在している旨が表示され、その対処方法として、燻蒸ガスＢを変更する旨が表示されている。また、この場合も図８の場合と同様に、対象資料タグ４３ａ及び配置場所タグ４３ｂが表示される。
【００４２】
以上のように出力された判定結果出力画面４１〜４３を参照した利用者は、その指示に従い、燻蒸不可状態を回避する動作を行う。ここで、燻蒸不可状態を回避する動作とは、例えば、燻蒸対象エリアの変更、燻蒸種別の変更、展示資料の移動等が挙げられる。この詳細動作については後述する。
【００４３】
このように、燻蒸不可状態を回避する動作が行われた後、再び燻蒸可否判定手段１ｊによって燻蒸可否判定が行われる。このような一連の動作は、すべての展示資料について燻蒸可能の判定がでるまで繰り返され、すべての展示資料について燻蒸可能の判定が行われた時点で、燻蒸可否判定動作を終了する。
【００４４】
次に、上述した各動作をフローチャートを用いて説明する。
まず、燻蒸スケジュールテーブル３１の作成動作をフローチャートを用いて説明する。
【００４５】
図１１は、燻蒸スケジュールテーブル３１の作成動作を示したフローチャートである。
〔Ｓ１〕  遮蔽ブロックテーブル１２を入力する。
〔Ｓ２〕  燻蒸種別テーブル１３を入力する。
〔Ｓ３〕  燻蒸条件情報１１を入力する。
【００４６】
〔Ｓ４〕  ステップＳ３で入力した燻蒸条件情報１１の燻蒸対象エリアが属する遮蔽ブロックに他の展示コーナが属するか否か判断する。ここで、他の展示コーナが属すると判断された場合、ステップＳ５に進む。他の展示コーナが属さないと判断された場合、ステップＳ６に進む。
【００４７】
〔Ｓ５〕  燻蒸条件情報１１の燻蒸対象エリアが属する遮蔽ブロックに属する他の展示コーナについて、燻蒸スケジュールテーブル３１を作成する。
〔Ｓ６〕  ステップＳ３で入力した燻蒸条件情報１１の燻蒸対象エリアを燻蒸スケジュールテーブル３１の燻蒸対象エリアとする。
【００４８】
〔Ｓ７〕  ステップＳ３で入力した燻蒸条件情報１１の燻蒸種別及び燻蒸開始日時を燻蒸スケジュールテーブル３１における燻蒸種別及び燻蒸開始日時とする。
〔Ｓ８〕  燻蒸種別テーブル１３を参照して燻蒸ガス排出開始日時及び燻蒸ガス排出完了日時を算出し、燻蒸スケジュールテーブル３１における燻蒸ガス排出開始日時及び燻蒸ガス排出完了日時とする。
【００４９】
〔Ｓ９〕  燻蒸対象エリアが属する遮蔽ブロックに近接遮蔽ブロックが存在するか否か判断する。ここで、近接遮蔽ブロックが存在すると判断された場合、ステップＳ１０に進む。存在しないと判断された場合、処理を終了する。
〔Ｓ１０〕  近接遮蔽ブロックに属する展示コーナについて、燻蒸スケジュールテーブル３１を作成する。
【００５０】
図１２は、図１１におけるステップＳ５の詳細動作を示したフローチャートである。
〔Ｓ２０〕  燻蒸条件情報１１の燻蒸対象エリアが属する遮蔽ブロックに属するすべての展示コーナを、燻蒸スケジュールテーブル３１における燻蒸対象エリアに追加する。
【００５１】
〔Ｓ２１〕  燻蒸条件情報１１の燻蒸種別及び燻蒸開始日時を燻蒸スケジュールテーブル３１における燻蒸種別及び燻蒸開始日時とする。
〔Ｓ２２〕  燻蒸種別テーブル１３を参照して燻蒸ガス排出開始日時及び燻蒸ガス排出完了日時を算出し、燻蒸スケジュールテーブル３１における燻蒸ガス排出開始日時及び燻蒸ガス排出完了日時とする。
【００５２】
図１３は、図１１におけるステップＳ１０の詳細動作を示したフローチャートである。
〔Ｓ２３〕  近接遮蔽ブロックに属するすべての展示コーナを、燻蒸スケジュールテーブル３１における燻蒸対象エリアに追加する。
〔Ｓ２４〕  燻蒸条件情報１１の燻蒸種別及び燻蒸開始日時を燻蒸スケジュールテーブル３１における燻蒸種別及び燻蒸開始日時とする。
【００５３】
〔Ｓ２５〕  燻蒸種別テーブル１３を参照し、燻蒸ガス排出開始日時及び燻蒸ガス排出完了日時を算出する。ここで、燻蒸ガス排出完了日時の算出の際、所定の係数を掛け合わせる。算出した燻蒸ガス排出開始日時及び燻蒸ガス排出完了日時を燻蒸スケジュールテーブル３１における燻蒸ガス排出開始日時及び燻蒸ガス排出完了日時とする。
【００５４】
次に、燻蒸可否管理情報３２の作成動作をフローチャートを用いて説明する。
図１４は、燻蒸可否管理情報３２の作成動作を示したフローチャートである。〔Ｓ３０〕  資料管理情報格納手段１ｆに格納されている資料管理情報１４を抽出する。
〔Ｓ３１〕  燻蒸可否情報１５を自動設定するか否か判断する。ここで、自動設定を行う場合、ステップＳ３３に進む。自動設定を行わない場合、ステップＳ３２に進む。
【００５５】
〔Ｓ３２〕  燻蒸可否情報１５の入力を行う。
〔Ｓ３３〕  資料管理情報１４を参照し、展示資料が生体であるか否か判断する。ここで、生体であると判断された場合、ステップＳ３４に進む。生体でないと判断された場合、ステップＳ３５に進む。
【００５６】
〔Ｓ３４〕  燻蒸可否情報１５を燻蒸不可とする。
〔Ｓ３５〕  燻蒸可否情報１５を燻蒸可能とする。
〔Ｓ３６〕  作成した燻蒸可否管理情報３２を資料管理情報格納手段１ｆに格納する。
【００５７】
次に、燻蒸可否判定動作をフローチャートを用いて説明する。
図１５は、燻蒸可否判定動作を示したフローチャートである。
〔Ｓ４０〕  燻蒸可否管理情報３２から判定を行う展示資料を選定し、その展示場所を抽出する。
〔Ｓ４１〕  ステップＳ４０で抽出した展示場所が燻蒸スケジュールテーブル３１のいずれかの燻蒸対象エリアと一致するか否か判断する。ここで、いずれかの燻蒸対象エリアと一致すると判断された場合、ステップＳ４２に進む。一致すると判断されなかった場合、ステップＳ４７に進む。
【００５８】
〔Ｓ４２〕  ステップＳ４０で選定した展示資料の燻蒸可否情報は、燻蒸不可か否か判断する。燻蒸不可である場合、ステップＳ４３に進む。燻蒸不可でない場合、ステップＳ４４に進む。
〔Ｓ４３〕  燻蒸不可表示を行い、燻蒸対象エリアの変更、展示資料の移動を指示する。
【００５９】
〔Ｓ４４〕  ステップＳ４１で一致が判断された燻蒸対象エリアに対応する燻蒸種別に、ステップＳ４０で選定した展示資料の燻蒸可否情報が一致するか否か判断する。一致する場合には、ステップＳ４７に進む。一致しない場合には、ステップＳ４５に進む。
【００６０】
〔Ｓ４５〕  燻蒸不可表示を行い、燻蒸種別の変更を指示する。
〔Ｓ４６〕  燻蒸不可状態の回避動作を行う。
〔Ｓ４７〕  すべての展示資料の判定が終了したか否か判断する。ここで、すべての展示資料の判定が終了したと判定された場合、処理を終了する。すべての展示資料の判定が終了していないと判定された場合、ステップＳ４０に進む。
【００６１】
図１６は、図１５におけるステップＳ４６の詳細動作を示したフローチャートである。
〔Ｓ５０〕  燻蒸対象エリアの変更を行うか否か選択する。ここで、燻蒸対象エリアの変更を行う場合、ステップＳ５２に進む。燻蒸対象エリアの変更を行わない場合、ステップＳ５１に進む。
【００６２】
〔Ｓ５１〕  燻蒸種別の変更を行うか否か選択する。ここで、燻蒸種別の変更を行う場合、ステップＳ５２へ進む。燻蒸種別の変更を行わない場合、ステップＳ５３に進む。
〔Ｓ５２〕  ステップＳ３〜Ｓ９を実行し、燻蒸スケジュールテーブル３１を再設定する。
【００６３】
〔Ｓ５３〕  展示資料の移動を行う。
〔Ｓ５４〕  展示資料の移動先を自動入力するか否か選択する。ここで、自動入力すると選択された場合、ステップＳ５６に進む。自動入力しないと選択された場合、ステップＳ５５に進む。
【００６４】
〔Ｓ５５〕  資料管理情報入力手段１ｅから展示資料の移動先の情報を入力し、資料管理情報格納手段１ｆに格納されている資料管理情報１４の内容を変更する。
〔Ｓ５６〕  センサによって展示資料の移動先の情報を取得し、資料管理情報格納手段１ｆに格納されている資料管理情報１４の内容を変更する。
〔Ｓ５７〕  ステップＳ３０〜Ｓ３６を実行し、燻蒸可否管理情報３２を再設定する。
【００６５】
このように、本形態では、展示資料を管理する資料管理情報１４に燻蒸の可否を示す燻蒸可否情報１５を付加した燻蒸可否管理情報３２、及び燻蒸を行うスケジュールを示す燻蒸スケジュールテーブル３１を作成し、作成した燻蒸可否管理情報３２及び燻蒸スケジュールテーブル３１を用いて、燻蒸の可否を判定することとしたため、展示資料の燻蒸の可否判定を容易に行うことが可能となる。
【００６６】
なお、上記の処理機能は、コンピュータによって実現することができる。その場合、燻蒸判定装置１が有すべき機能の処理内容は、コンピュータで読み取り可能な記録媒体に記録されたプログラムに記述しておく。そして、このプログラムをコンピュータで実行することにより、上記処理がコンピュータで実現される。コンピュータで読み取り可能な記録媒体としては、磁気記録装置や半導体メモリ等がある。市場に流通させる場合には、ＣＤ−ＲＯＭ(Compact Disk Read Only Memory)やフロッピーディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００６７】
（付記１）  燻蒸の可否を判定する燻蒸判定装置において、
遮蔽された空間である遮蔽ブロックが定義された遮蔽ブロックテーブルを入力する遮蔽ブロックテーブル入力手段と、
燻蒸ガスの種別である燻蒸種別が定義された燻蒸種別テーブルを入力する燻蒸種別テーブル入力手段と、
燻蒸条件を示す燻蒸条件情報を入力する燻蒸条件情報入力手段と、
前記遮蔽ブロックテーブル入力手段によって入力された前記遮蔽ブロックテーブル、前記燻蒸種別テーブル入力手段によって入力された前記燻蒸種別テーブル、及び前記燻蒸条件情報入力手段によって入力された前記燻蒸条件情報を用い、燻蒸スケジュールを示す燻蒸スケジュールテーブルを作成する燻蒸スケジュールテーブル作成手段と、
展示資料を管理する資料管理情報に、燻蒸の可否を示す燻蒸可否情報を付加した燻蒸可否管理情報を作成する燻蒸可否管理情報作成手段と、
前記燻蒸スケジュールテーブル及び前記燻蒸可否管理情報を用い、燻蒸の可否を判定する燻蒸可否判定手段と、
前記燻蒸可否判定手段による判定結果を出力する判定結果出力手段と、
を有することを特徴とする燻蒸判定装置。
【００６８】
（付記２）  前記燻蒸条件情報は、燻蒸対象である燻蒸対象エリアを示す燻蒸対象エリア情報、前記燻蒸対象エリアを燻蒸する燻蒸ガスの種別を示す燻蒸種別情報、及び燻蒸を開始する日時を示す燻蒸開始日時情報を有することを特徴とする付記１記載の燻蒸判定装置。
【００６９】
（付記３）  前記燻蒸種別テーブルは、前記燻蒸ガスの種別である燻蒸種別、燻蒸時間及び標準排出時間を有するテーブルであることを特徴とする付記１記載の燻蒸判定装置。
【００７０】
（付記４）  前記遮蔽ブロックテーブルは、前記展示資料が展示される展示コーナ、前記展示コーナが属する前記遮蔽ブロック、及び前記展示コーナが属する前記遮蔽ブロックに近接する前記遮蔽ブロックである近接遮蔽ブロックを有するテーブルであることを特徴とする付記１記載の燻蒸判定装置。
【００７１】
（付記５）  前記燻蒸スケジュールテーブル作成手段は、前記燻蒸種別テーブル、遮蔽ブロックテーブル及び前記燻蒸条件情報から、前記燻蒸ガスの排出を開始する日時である燻蒸ガス排出開始日時、及び前記燻蒸ガスの排出が完了する日時である燻蒸ガス排出完了日時を算出し、
燻蒸対象である燻蒸対象エリア、前記燻蒸ガスの種別である燻蒸種別、燻蒸を開始する日時である燻蒸開始日時、前記燻蒸ガス排出開始日時及び燻蒸ガス排出完了日時を有する前記燻蒸スケジュールテーブルの作成を行うことを特徴とする付記１記載の燻蒸判定装置。
【００７２】
（付記６）  前記燻蒸スケジュールテーブル作成手段は、前記燻蒸条件情報が有する燻蒸対象エリア情報によって示される展示コーナが属する前記遮蔽ブロックが有するすべての展示コーナを燻蒸対象エリアとした前記燻蒸スケジュールテーブルを作成することを特徴とする付記１記載の燻蒸判定装置。
【００７３】
（付記７）  前記燻蒸スケジュールテーブル作成手段は、前記燻蒸条件情報が有する燻蒸対象エリア情報によって示される前記展示コーナが属する前記遮蔽ブロックに近接する近接遮蔽ブロックが有するすべての展示コーナを、さらに燻蒸対象エリアとした前記燻蒸スケジュールテーブルを作成することを特徴とする付記６記載の燻蒸判定装置。
【００７４】
（付記８）  前記燻蒸スケジュールテーブル作成手段は、前記燻蒸対象エリア情報によって示される前記展示コーナが属する前記遮蔽ブロックが有する前記展示コーナと、前記近接遮蔽ブロックが有する前記展示コーナとの間で作成条件に差違を設け、前記燻蒸スケジュールテーブルの作成を行うことを特徴とする付記７記載の燻蒸判定装置。
【００７５】
（付記９）  前記資料管理情報を格納する資料管理情報格納手段と、前記資料管理情報を抽出する資料管理情報抽出手段とをさらに有し、燻蒸可否管理情報作成手段は、前記資料管理情報抽出手段によって抽出された前記資料管理情報に前記燻蒸可否情報を付加することによって、前記燻蒸可否管理情報の作成を行うことを特徴とする付記１記載の燻蒸判定装置。
【００７６】
（付記１０）  前記燻蒸可否管理情報作成手段は、自動的に設定された前記燻蒸可否情報を前記資料管理情報に付加することによって前記燻蒸可否管理情報の作成を行うことを特徴とする付記９記載の燻蒸判定装置。
【００７７】
（付記１１）  前記燻蒸可否情報を入力する燻蒸可否情報入力手段をさらに有し、前記燻蒸可否管理情報作成手段は、前記燻蒸可否情報入力手段によって入力された前記燻蒸可否情報を前記資料管理情報に付加することによって前記燻蒸可否管理情報の作成を行うことを特徴とする付記９記載の燻蒸判定装置。
【００７８】
（付記１２）  前記燻蒸可否判定手段は、前記燻蒸スケジュールテーブルに示される燻蒸対象エリアのいずれかと、前記燻蒸可否管理情報に示される前記展示資料の展示場所のいずれかとが相互に一致するか否か判定し、
いずれも一致しない場合には、燻蒸が可能であると判定し、
一致する場合には、前記燻蒸スケジュールテーブルに示される燻蒸種別と、前記燻蒸可否管理情報に示される燻蒸可否情報とを比較することにより、燻蒸の可否を判定することを特徴とする付記１記載の燻蒸判定装置。
【００７９】
（付記１３）  前記判定結果出力手段は、燻蒸の可否表示を行い、燻蒸が不可である場合には、さらにその対処法を表示することを特徴とする付記１記載の燻蒸判定装置。
【００８０】
（付記１４）  燻蒸の可否を判定する燻蒸判定方法において、
遮蔽された空間である遮蔽ブロックが定義された遮蔽ブロックテーブルを入力し、
燻蒸ガスの種別である燻蒸種別が定義された燻蒸種別テーブルを入力し、
燻蒸条件を示す燻蒸条件情報を入力し、
入力された前記遮蔽ブロックテーブル、前記燻蒸種別テーブル、及び前記燻蒸条件情報を用い、燻蒸スケジュールを示す燻蒸スケジュールテーブルを作成し、
展示資料を管理する資料管理情報に、燻蒸の可否を示す燻蒸可否情報を付加した燻蒸可否管理情報を作成し、
前記燻蒸スケジュールテーブル及び前記燻蒸可否管理情報を用い、燻蒸の可否を判定し、
判定結果を出力することを特徴とする燻蒸判定方法。
【００８１】
（付記１５）  遮蔽された空間である遮蔽ブロックが定義された遮蔽ブロックテーブルを入力し、
燻蒸ガスの種別である燻蒸種別が定義された燻蒸種別テーブルを入力し、
燻蒸条件を示す燻蒸条件情報を入力し、
入力された前記遮蔽ブロックテーブル、前記燻蒸種別テーブル、及び前記燻蒸条件情報を用い、燻蒸スケジュールを示す燻蒸スケジュールテーブルを作成し、
展示資料を管理する資料管理情報に、燻蒸の可否を示す燻蒸可否情報を付加した燻蒸可否管理情報を作成し、
前記燻蒸スケジュールテーブル及び前記燻蒸可否管理情報を用い、燻蒸の可否を判定し、
判定結果を出力する機能をコンピュータに行わせるプログラムを格納したコンピュータ読み取り可能な記録媒体。
【００８２】
【発明の効果】
以上説明したように本発明では、展示資料を管理する資料管理情報に燻蒸の可否を示す燻蒸可否情報を付加した燻蒸可否管理情報、及び燻蒸を行うスケジュールを示す燻蒸スケジュールテーブルを作成し、作成した燻蒸可否管理情報及び燻蒸スケジュールテーブルを用いて、燻蒸の可否を判定することとしたため、展示資料の燻蒸の可否判定を容易に行うことが可能となる。
【図面の簡単な説明】
【図１】燻蒸判定装置の構成を示した構成図である。
【図２】燻蒸を行う施設の構成例を示した図である。
【図３】（ａ）は、燻蒸条件情報の構成を示した図であり、（ｂ）は、遮蔽ブロックテーブルを示した図である。
【図４】（ａ）は、燻蒸種別テーブルの構成を示した図であり、（ｂ）は、燻蒸種別の具体例である燻蒸種別例を示した図である。
【図５】燻蒸スケジュールテーブルの構成を示した図である。
【図６】（ａ）は、資料管理情報の構成を示した図であり、（ｂ）は、燻蒸可否情報の構成を示した図である。
【図７】燻蒸可否管理情報の構成を示した図である。
【図８】判定結果出力画面を示した図である。
【図９】判定結果出力画面を示した図である。
【図１０】判定結果出力画面を示した図である。
【図１１】燻蒸スケジュールテーブルの作成動作を示したフローチャートである。
【図１２】図１１におけるステップＳ５の詳細動作を示したフローチャートである。
【図１３】図１１におけるステップＳ１０の詳細動作を示したフローチャートである。
【図１４】燻蒸可否管理情報の作成動作を示したフローチャートである。
【図１５】燻蒸可否判定動作を示したフローチャートである。
【図１６】図１５におけるステップＳ４６の詳細動作を示したフローチャートである。
【符号の説明】
１  燻蒸判定装置
１ａ  遮蔽ブロックテーブル入力手段
１ｂ  燻蒸種別テーブル入力手段
１ｃ  燻蒸条件情報入力手段
１ｄ  燻蒸スケジュールテーブル作成手段
１ｅ  資料管理情報入力手段
１ｆ  資料管理情報格納手段
１ｇ  資料管理情報抽出手段
１ｈ  燻蒸可否情報入力手段
１ｉ  燻蒸可否管理情報作成手段
１ｊ  燻蒸可否判定手段
１ｋ  判定結果出力手段
１１  燻蒸条件情報
１２  遮蔽ブロックテーブル
１３  燻蒸種別テーブル
１４  資料管理情報
１５  燻蒸可否情報
２１〜２３  遮蔽ブロック
２１ａ、２１ｂ、２２ａ、２３ａ  展示コーナ
３１  燻蒸スケジュールテーブル
３２  燻蒸可否管理情報
４１〜４３  判定結果出力画面
【図１】
0003698618.tif 000002
【図２】
0003698618.tif 000003
【図３】
0003698618.tif 000004
【図４】
0003698618.tif 000005
【図５】
0003698618.tif 000006
【図６】
0003698618.tif 000007
【図７】
0003698618.tif 000008
【図８】
0003698618.tif 000009
【図９】
0003698618.tif 000010
【図１０】
0003698618.tif 000011
【図１１】
0003698618.tif 000012
【図１２】
0003698618.tif 000013
【図１３】
0003698618.tif 000014
【図１４】
0003698618.tif 000015
【図１５】
0003698618.tif 000016
【図１６】
0003698618.tif 000017